(57)【要約】【課題】光源からの光を効率よく鏡の縁から放射させる。【解決手段】発光装置１０は、面光源１００、鏡２００、及び導光部材３００を有している。鏡２００は面光源１００の少なくとも一部と重なっている。導光部材３００は面光源１００と鏡２００の間に位置している。そして導光部材３００は、図３に示すように、第１面３０２及び第２面３０４を有している。第１面３０２は面光源１００に対向しており、面光源１００からの光を導光部材３００の中に受け入れる。第２面３０４は第１面３０２とは逆側の面であり、鏡２００と重なっていない領域から、面光源１００から受け入れた光を放射する。【選択図】図３
2016081820.tif 000002
【特許請求の範囲】
【請求項１】
面光源と、
前記面光源の少なくとも一部と重なる鏡と、
前記面光源と前記鏡の間に位置する導光部材と、
を備え、
前記導光部材は、
前記面光源と対向しており、前記面光源からの光を前記導光部材の内部に受け入れる第１面と、
前記第１面とは逆側の前記鏡に対向する面であり、前記鏡と重なっていない領域から前記面光源からの光を放射する第２面と、
を備える発光装置。
【請求項２】
請求項１に記載の発光装置において、
前記導光部材のうち前記鏡と重なる領域は、前記第１面から受け入れた光を導光する導光手段を有しており、
前記導光部材のうち前記鏡と重なっていない領域は、前記導光部材によって導光された光を拡散する拡散手段を有している発光装置。
【請求項３】
請求項２に記載の発光装置において、
前記導光手段及び前記拡散手段は一体的に形成されている発光装置。
【発明の詳細な説明】
【技術分野】
【０００１】
本発明は、発光装置に関する。
【背景技術】
【０００２】
近年は、照明装置の光源として有機ＥＬ素子が用いられている。有機ＥＬ素子を用いると、照明装置の光源を面光源にすることができる。
【０００３】
一方、特許文献１には、鏡の縁から照明用の光を放射させることが記載されている。具体的には、光の拡散板の下部に光源を配置し、さらにこの拡散板の一面に、拡散板よりも一回り小さい鏡を配置することが記載されている。このようにすると、拡散板の下端から光が入射し、この光が拡散板内で拡散されることにより、拡散板のうち鏡で覆われていない領域から光が放射される。
【０００４】
なお、特許文献２には、透明基板上に複数の有機ＥＬ素子を区画形成し、透明基板の縁に位置する有機ＥＬ素子を発光させることにより、有機ＥＬ素子のうち発光していない部分を鏡として使用し、かつ、有機ＥＬ素子のうち発光している部分を光源として使用することが記載されている。
【先行技術文献】
【特許文献】
【０００５】
【特許文献１】特開平７−１５５２４２号公報
【特許文献２】特開２００５−１７７０８４号公報
【発明の概要】
【発明が解決しようとする課題】
【０００６】
特許文献１に記載されているように、鏡の縁から照明用の光を放射させることが望まれている。本発明者は、光源からの光を効率よく鏡の縁から放射させることを検討した。
【０００７】
本発明が解決しようとする課題としては、光源からの光を効率よく鏡の縁から放射させることが一例として挙げられる。
【課題を解決するための手段】
【０００８】
請求項１に記載の発明は、面光源と、
前記面光源の少なくとも一部と重なる鏡と、
前記面光源と前記鏡の間に位置する導光部材と、
を備え、
前記導光部材は、
前記面光源と対向しており、前記面光源からの光を前記導光部材の内部に受け入れる第１面と、
前記第１面とは逆側の前記鏡に対向する面であり、前記鏡と重なっていない領域から前記面光源からの光を放射する第２面と、
を備える発光装置である。
【図面の簡単な説明】
【０００９】
【図１】実施形態に係る発光装置の構成を示す平面図である。
【図２】図１のＡ−Ａ断面図である。
【図３】図２の点線αで囲んだ領域を拡大した図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
図１は、実施形態に係る発光装置１０の構成を示す平面図である。図２は図１のＡ−Ａ断面図である。図３は、図２の点線αで囲んだ領域を拡大した図である。実施形態に係る発光装置１０は、面光源１００、鏡２００、及び導光部材３００を有している。鏡２００は面光源１００の少なくとも一部と重なっている。導光部材３００は面光源１００と鏡２００の間に位置している。そして導光部材３００は、図３に示すように、第１面３０２及び第２面３０４を有している。第１面３０２は面光源１００に対向しており、面光源１００からの光を導光部材３００の中に受け入れる。第２面３０４は第１面３０２とは逆側の面であり、鏡２００と重なっていない領域から、面光源１００から受け入れた光を放射する。以下、詳細に説明する。
【００１２】
面光源１００は、基板１１０及び発光部１２０を有している。発光部１２０は、基板１１０の一面に形成されている。
【００１３】
基板１１０は、例えばガラス基板や樹脂基板などの透光性を有する基板である。基板１１０は可撓性を有していてもよい。可撓性を有している場合、基板１１０の厚さは、例えば１０μｍ以上１０００μｍ以下である。基板１１０は、例えば矩形などの多角形や円形である。基板１１０が樹脂基板である場合、基板１１０は、例えばＰＥＮ（ポリエチレンナフタレート）、ＰＥＳ（ポリエーテルサルホン）、ＰＥＴ（ポリエチレンテレフタラート）、又はポリイミドを用いて形成されている。また、基板１１０が樹脂基板である場合、水分が基板１１０を透過することを抑制するために、基板１１０の少なくとも一面（好ましくは両面）に、ＳｉＮｘやＳｉＯＮなどの無機バリア膜が形成されているのが好ましい。
【００１４】
発光部１２０は、発光素子として有機ＥＬ素子を有している。この有機ＥＬ素子は、第１電極、有機層、及び第２電極をこの順に積層させた構成を有している。
【００１５】
第１電極は、光透過性を有する透明電極である。透明電極の材料は、金属を含む材料、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）、ＺｎＯ（Ｚｉｎｃ  Ｏｘｉｄｅ）等の金属酸化物である。第１電極の厚さは、例えば１０ｎｍ以上５００ｎｍ以下である。第１電極は、例えばスパッタリング法又は蒸着法を用いて形成される。なお、第１電極は、カーボンナノチューブ、又はＰＥＤＯＴ／ＰＳＳなどの導電性有機材料であってもよい。
【００１６】
有機層は、例えば、正孔注入層、発光層、及び電子注入層をこの順に積層させた構成を有している。正孔注入層と発光層との間には正孔輸送層が形成されていてもよい。また、発光層と電子注入層との間には電子輸送層が形成されていてもよい。有機層は蒸着法で形成されてもよい。また、有機層のうち少なくとも一つの層、例えば第１電極と接触する層は、インクジェット法、印刷法、又はスプレー法などの塗布法によって形成されてもよい。なお、この場合、有機層の残りの層は、蒸着法によって形成されている。また、有機層のすべての層が、塗布法を用いて形成されていてもよい。
【００１７】
第２電極は、例えば、Ａｌ、Ａｕ、Ａｇ、Ｐｔ、Ｍｇ、Ｓｎ、Ｚｎ、及びＩｎからなる第１群の中から選択される金属、又はこの第１群から選択される金属の合金からなる金属層を含んでいる。この場合、第２電極は遮光性を有している。第２電極の厚さは、例えば１０ｎｍ以上５００ｎｍ以下である。ただし、第２電極は、第１電極の材料として例示した材料を用いて形成されていてもよい。第２電極は、例えばスパッタリング法又は蒸着法を用いて形成される。
【００１８】
本図に示す例において、発光部１２０は、例えば基板１１０のうち縁を除いたほぼ全面に形成されている。そして平面視において、発光部１２０の全体は鏡２００と重なっている。ただし、発光部１２０の一部は鏡２００から食み出していてもよい。そして面光源１００の光射出面は、基板１１０のうち発光部１２０とは逆側の面である。このため、面光源１００のうち基板１１０のうち発光部１２０とは逆側の面が、鏡２００に対向している。
【００１９】
導光部材３００は、図３に示すように、第１面３０２及び第２面３０４を有している。第１面３０２は面光源１００に対向しており、面光源１００の光が導光部材３００の内部に入射する。なお、第１面３０２は、少なくとも面光源１００に対向している領域において導光部材３００の内部に光が入射すればよい。このため、面光源１００と重なっていない領域（例えば導光部材３００の縁）では第１面３０２から内部に光が入射しなくてもよい。
【００２０】
本図に示す例において、導光部材３００は、導光手段となる導光部３１０及び拡散手段となる拡散部３２０を有している。導光部３１０は、導光部材３００のうち鏡２００と重なっている領域に位置しており、拡散部３２０は導光部材３００のうち鏡２００と重なっていない領域に位置している。導光部材３００は、第１面３０２から受け入れた光を拡散部３２０に向けて導光する。拡散部３２０は、導光部材３００によって導光された光を拡散する。これにより、面光源１００から放射された光は、導光部材３００のうち鏡２００の周囲に位置する部分から放射される。本図に示す例において、導光部３１０及び拡散部３２０は一体的に形成されている。例えば導光部材３００に対して導光部３１０となる領域、及び拡散部３２０となる領域の少なくとも一方に加工を施すことにより、導光部３１０及び拡散部３２０が形成される。また、導光部３１０、拡散部３２０を別々の部材で形成した後で接合することで一つの導光部材３００を形成しても良い。
【００２１】
以上、本実施形態によれば、面光源１００から放射された光は、導光部３１０の第１面３０２に入射した後、拡散部３２０に導光され、拡散部３２０の第２面３０４から外部に放射される。拡散部３２０の第２面３０４は鏡２００と重なっていない。従って、面光源１００から放射された光は、効率よく鏡２００の周囲から放射される。
【００２２】
また、拡散部３２０は光を拡散するため、拡散部３２０から放射された光は柔らかい光になる。
【００２３】
以上、図面を参照して実施形態について述べたが、これらは本発明の例示であり、上記以外の様々な構成を採用することもできる。
【符号の説明】
【００２４】
１０ 発光装置
１００ 面光源
２００ 鏡
３００ 導光部材
３０２ 第１面
３０４ 第２面
３１０ 導光部
３２０ 拡散部
【図１】
2016081820.tif 000003
【図２】
2016081820.tif 000004
【図３】
2016081820.tif 000005